(57)【要約】【課題】  剣道用具を収容できるだけのサイズを有し、形崩れや使用者に与える圧迫感を軽減でき、蒸れを解消でき、防水性を有し、ファッション的に見栄えがよく、収容対象物が剣道用具であるという特有の構成を備えた剣道用具バッグの提供。【解決手段】  剣道用具をまとめて収容できる大きさに形成されたバッグ本体１を備え、バッグ本体は、上面１０、左右両側面１１，１２、底面１３、正面１４、背面１５の全ての面の表皮１ａがエナメル生地により形成されると共に、内面全面に亘って布地による内張１ｂが設けられ、上面から左右両側面の中程にかけてスライドファスナ８３により開閉する開口部８が形成され、背面には表皮と内張との間にクッション材２が設けられ、底面には硬質板による底敷板３が着脱可能に設けられ、左右両側面には空気穴５が設けられると共に、肩掛けベルト６用の環金具６０が設けられている。【選択図】  図１
2007082795.tif 000002
【特許請求の範囲】
【請求項１】
胴着、袴、面、胴、垂れ、籠手等の剣道用具をまとめて収容できる大きさに形成された略直方体状のバッグ本体を備えた剣道用具バッグであって、
前記バッグ本体は、上面、左右両側面、底面、正面、背面の全ての面の表皮がエナメル生地により形成されると共に、このエナメル生地による表皮の内面全面に亘って布地による内張が設けられ、
前記上面から左右両側面の中程にかけてスライドファスナにより開閉する開口部が形成され、
前記背面には表皮と内張との間にクッション材が設けられ、
前記底面には硬質板による底敷板が着脱可能に設けられ、
前記左右両側面には空気穴が設けられると共に、肩掛けベルト用の環金具が設けられていることを特徴とする剣道用具バッグ。
【請求項２】
前記バッグ本体の正面の外面に補助収納部が形成され、
この補助収納部は、その上面から左右両側面に亘ってスライドファスナにより開閉する開口部が形成されると共に、この補助収納部を形成する蓋部材の底辺がバッグ本体の正面下端辺に連結され、
前記蓋部材は表皮がエナメル生地により形成されると共に、このエナメル生地による表皮の内面全面に亘って布地による内張が設けられている請求項１記載の剣道用具バッグ。
【請求項３】
前記バッグ本体の上面から左右両側面の中程にかけて広幅開口部が形成されると共に、この広幅開口部に帯状蓋が設けられ、
この帯状蓋は基端が左右両側面のいずれかの側面に連結されると共に、先端部が他方の側面に面ファスナによって着脱可能に形成され、かつ前後両縁が前記広幅開口部の前後両縁にスライドファスナによって着脱可能に形成され、この両スライドファスナのスライダ同士が手掛け紐によって連結されている請求項１又は２記載の剣道用具バッグ。
【発明の詳細な説明】
【技術分野】
【０００１】
本発明は、剣道における胴着、袴、面、胴、垂れ、籠手等の剣道用具を収容し、持ち運ぶために用いられる剣道用具バッグに関する。
【背景技術】
【０００２】
従来、胴着、袴、面、胴、垂れ、籠手等の剣道用具を収容するための剣道用具バッグが知られている（特許文献１参照）。
【０００３】
この従来の剣道用具バッグは、剣道用具を収容できる大きさに形成されたバッグ本体を備えてはいるが、このバッグ本体は単なる収納用に過ぎず、収容対象物が剣道用具であるという特有の構成は見当たらない。
なお、特許文献１に記載された剣道用具バッグは、竹刀を取り付けることができるようにした点に特徴があり、剣道用具を収容するための特有の構成は見当たらない。
【特許文献１】特許公開２００３−１４４２２０号公報
【発明の開示】
【発明が解決しようとする課題】
【０００４】
剣道用具を収容対象物とした場合に要求される特有の構成としては、以下のようなものが挙げられる。
剣道用具には、面や胴といった硬質で大きなをサイズのものがあるため、これらを収容できるだけのサイズが必要になるし、出し入れし易く、収容した剣道用具の保護ができることが望ましい。
また、重量が重くなることによる形崩れや使用者に与える圧迫感を軽減できるのが好ましい。
又、剣道用具は汗等が付着し、これをそのまま収容させると内部が蒸れ、異臭等の原因になるため、この蒸れを解消する必要がある。
又、防水性を有し、そして、ファッション的に見栄えをよくして商品の付加価値を向上させることが望ましい。
【０００５】
本発明は、上記のような要求を満たすことができる剣道用具バッグを提供することを課題としている。
【課題を解決するための手段】
【０００６】
上記の課題を解決するために、本発明（請求項１）の剣道用具バッグは、
胴着、袴、面、胴、垂れ、籠手等の剣道用具をまとめて収容できる大きさに形成された略直方体状のバッグ本体を備えた剣道用具バッグであって、
前記バッグ本体は、上面、左右両側面、底面、正面、背面の全ての面の表皮がエナメル生地により形成されると共に、このエナメル生地による表皮の内面全面に亘って布地による内張が設けられ、
前記上面から左右両側面の中程にかけてスライドファスナにより開閉する開口部が形成され、
前記背面には表皮と内張との間にクッション材が設けられ、
前記底面には硬質板による底敷板が着脱可能に設けられ、
前記左右両側面には空気穴が設けられると共に、肩掛けベルト用の環金具が設けられている構成とした。
【０００７】
また、本発明（請求項２）の剣道用具バッグは、請求項１記載の剣道用具バッグにおいて、
前記バッグ本体の正面の外面に補助収納部が形成され、
この補助収納部は、その上面から左右両側面に亘ってスライドファスナにより開閉する開口部が形成されると共に、この補助収納部を形成する蓋部材の底辺がバッグ本体の正面下端辺に連結され、
前記蓋部材は表皮がエナメル生地により形成されると共に、このエナメル生地による表皮の内面全面に亘って布地による内張が設けられている構成とした。
【０００８】
また、本発明（請求項３）の剣道用具バッグは、請求項１又は２記載の剣道用具バッグにおいて、
前記バッグ本体の上面から左右両側面の中程にかけて広幅開口部が形成されると共に、この広幅開口部に帯状蓋が設けられ、
この帯状蓋は基端が左右両側面のいずれかの側面に連結されると共に、先端部が他方の側面に面ファスナによって着脱可能に形成され、かつ前後両縁が前記広幅開口部の前後両縁にスライドファスナによって着脱可能に形成され、この両スライドファスナのスライダ同士が手掛け紐によって連結されている構成とした。
【発明の効果】
【０００９】
本発明（請求項１）の剣道用具バッグは、サイズ的に、剣道用具である胴着、袴、面、胴、垂れ、籠手等をまとめて収容することができる。
【００１０】
また、全ての面の表皮がエナメル生地により形成されているため、撥水性、防水性を有すると共に、ファッション性を向上できる。
このエナメル生地は、ポリ塩化ビニール等の柔軟な合成樹脂シートの表面にエナメル膜を塗装等で形成させたもので、特に、表面に光沢感があるし、その色彩も豊富にあることから、これをバッグの生地として用いると、色選択の自由度や範囲が拡大し、例えば、単一色のみを使用するほか、様々な色彩を組み合わせて使用でき、古風感がある剣道において明るくスポーティー感のあるファッシヨンを取り入れることができる。
【００１１】
また、内面全面に亘って布地による内張が設けられているため、収容した剣道用具を、この布地による内張によって保護することができ、剣道用具を傷付けるといったことがなくなる。
【００１２】
また、上面から左右両側面の中程にかけてスライドファスナにより開閉する開口部を形成したので開口部が広くなり、剣道用具の出し入れが容易になる。
【００１３】
又、側面に設けた肩掛けベルト用の環金具にベルトを取り付けて使用する場合、バッグ本体の背面が使用者の身体に接触することになるが、この背面には表皮と内張との間にクッション材が設けられているため、使用者に対する圧迫を軽減できる。
【００１４】
又、底面には硬質板による底敷板が着脱可能に設けられているため、これを使用すると、底面の強度が向上するため、重量が重くなっても形崩れを防止できる。
また、不使用時は底敷板を底面から取り外すことにより、バッグ本体をコンパクトに畳むことができる。
【００１５】
また、左右両側面に空気穴が設けられているため、バッグを閉じた状態でも内部に空気を流通させることができ、内部の蒸れを防止できる。
【００１６】
本発明（請求項２）の剣道用具バッグは、バッグ本体の正面の外面に補助収納部が形成されているため、この補助収納部にもノートや本等、その他のものを収容でき、その収容量を拡大できる。
また、この補助収納部を形成する蓋部材が、表皮がエナメル生地により形成されると共に内張が設けられているため、防水性、撥水性を有すると共に、ファッシヨン性を向上できるし、内張によって収容物を保護できる。
【００１７】
本発明（請求項３）の剣道用具バッグは、広幅開口部が形成されているため、出し入れがより一層容易になる。
また、帯状蓋の前後両縁が広幅開口部の前後両縁にスライドファスナによって着脱するダブルファスナ構造であるため、スライダ同士を連結した手掛け紐を用いて両方のスライドファスナを同時に摺動させて開閉することができ、スライドファスナの開閉手間を半減できる。
【発明を実施するための最良の形態】
【００１８】
図１は本発明の剣道用具バッグの実施例を示す斜視図、図２は剣道用具バッグの断面図である。
【００１９】
この剣道用具バッグは、略直方体状のバッグ本体１を備えている。
このバッグ本体１は、胴着、袴、面、胴、垂れ、籠手等の剣道用具をまとめて収容できる大きさに形成されており、通常では、概ね正面横幅４５ｃｍ〜６０ｃｍ、側面横幅３０ｃｍ〜４５ｃｍ、高さ４０ｃｍ〜５５ｃｍ程度に形成されるが、これに限定されない。
【００２０】
前記バッグ本体１は、上面１０、左右両側面１１，１２、底面１３、正面１４、背面１５の全ての面の表皮１ａがエナメル生地により形成されると共に、このエナメル生地による表皮１ａの内面全面に亘って布地による内張１ｂが設けられている。
又、実施例では、正面１４及び背面１５の全周がパイピング１ｃによって補強され、このパイピング１ｃについてもエナメル生地により形成されている。
【００２１】
バッグ本体１の背面１５には表皮１ａと内張１ｂとの間にクッション材２が設けられている。
このクッション材２としては、厚さ１ｃｍ程度のウレタンフォームが用いられている。
【００２２】
バッグ本体１の底面１３には硬質板３ａによる底敷板３が着脱可能に設けられている。
この底敷板３は、バッグ本体１の内部底に設けられるもので、ベニヤ板等の硬質板３ａの全面を布地３ｂにより覆って形成されている。
バッグ本体１の剣道用具を収容する際には、この底敷板３を内部底に敷くことで底面強度を向上させて形崩れを防止させ、又、不使用時は底敷板３を取り外すことにより、バッグ本体１をコンパクトに畳むことができる。
なお、この底敷板３は、正面サイズよりも小さいため、不使用時にはバッグ本体１の内部に立てた状態で収納することができる。
【００２３】
又、底面１３の外面には鋲脚４が取り付けられている。
バッグ本体１を置いた場合に、この鋲脚４によってバッグ本体１の底面１３が床面に直接に接触しないため、底面１３の外面が汚れるのを防止できる。
【００２４】
バッグ本体１の左右両側面１１，１２には空気穴５が設けられている。
この場合、左右両側面１１，１２に通気金具５ａが取り付けられ、この通気金具５ａに形成した空気穴５を通してバッグ内部と外気とが連通されている。
【００２５】
バッグ本体１の左右両側面１１，１２には補強ベルト１１ａ，１２ａが縫合され、この補強ベルト１１ａ，１２ａに環金具６０，６０が取り付けられ、この環金具６０，６０に肩掛けベルト６の両端部に設けたフック金具６１，６１を連結させるようになっている。
前記補強ベルト１１ａ，１２ａ及び肩掛けベルト６もエナメル生地で形成され、肩掛けベルト６には布製の肩当６２が移動可能に設けられている。
なお、肩掛けベルト６の内面には布地が貼り合わされている。
【００２６】
バッグ本体１の正面１４の外面に補助収納部７が形成されている。
この補助収納部７は、その上面から左右両側面に亘ってスライドファスナ７０により開閉する開口部７１が形成されると共に、この補助収納部７を形成する蓋部材７２の底辺７３がバッグ本体１の正面下端辺に連結されている。
そして、この蓋部材７２は表皮７ａがエナメル生地により形成されると共に、このエナメル生地による表皮７ａの内面全面に亘って布地による内張７ｂが設けられている。
なお、前記蓋部材７２の全周はパイピング７ｃによって補強され、このパイピング７ｃもエナメル生地により形成されている。
【００２７】
実施例では、バッグ本体１の上面１０から左右両側面１１，１２の中程にかけて広幅開口部８が形成されている。
前記広幅開口部８には帯状蓋８０が設けられており、この帯状蓋８０は基端部８１が右側面１２（左側面１１でもよい）の補強ベルト１２ａと共に縫合され、先端部が左側面１１（右側面１２でもよい）に面ファスナ８２によって着脱可能に形成されている。
また、帯状蓋８０の前後両縁は、前記広幅開口部８の前後両縁にスライドファスナ８３，８３によって着脱可能に形成され、この両スライドファスナ８３，８３のスライダ８４，８４同士が手掛け紐８５によって連結されている。
【００２８】
なお、前記広幅開口部８の代わりにバッグ本体１の上面１０から左右両側面１１，１２の中程にかけて、１本のスライドファスナによって開閉する通常の開口部を形成してもよいが、実施例のように広幅開口部８を形成すれば、出し入れをより一層容易にすることができる。
【００２９】
又、本発明において、各部のエナメル生地について、使用する全てのエナメル生地を単一色（例えば、黒１色）のもので統一してもよいし、例えば、パイピングのエナメル生地を別色にするなど、任意の色のエナメル生地を使用したデザインにできる。
【図面の簡単な説明】
【００３０】
【図１】本発明の剣道用具バッグの実施例を示す斜視図である。
【図２】剣道用具バッグの断面図である。
【符号の説明】
【００３１】
１  バッグ本体
１ｂ  内張
１ａ  表皮
１ｃ  パイピング
１０  上面
１１  左側面
１１ａ  補強ベルト
１２  右側面
１２ａ  補強ベルト
１３  底面
１４  正面
１５  背面
２  クッション材
３  底敷板
３ａ  硬質板
３ｂ  布地
４  鋲脚
５  空気穴
５ａ  通気金具
６  ベルト
６０  環金具
６１  フック金具
６２  肩当
７  補助収納部
７ａ  表皮
７ｂ  内張
７ｃ  パイピング
７０  スライドファスナ
７１  開口部
７２  蓋部材
７３  底辺
８  広幅開口部
８０  帯状蓋
８１  基端部
８２  面ファスナ
８３  スライドファスナ
８４  スライダ
８５  手掛け紐
【図１】
2007082795.tif 000003
【図２】
2007082795.tif 000004